(57)【要約】【課題】  敷布団やマットレスに被装して使用する病院用シーツであって、下側寝具の幅、長さ、厚さが変わっても対応することが可能であって、使用中にずれてしまうことがなく、交換作業の手数を極力減らして迅速かつ円滑に行うことができる下側寝具用シーツを提供する。【解決手段】  使用する敷布団やマットレス等の下側寝具よりも長尺に、かつ広幅に裁断したシーツ布地に、使用が想定されるサイズの下側寝具を被装できるように、複数のスナップボタンを取り付けておき、体格の異なる使用者に合ったサイズの寝具を選択しても１種のシーツを準備しておけば対応できるような構造とする。【選択図】    図１
2008194241.tif 000002
【特許請求の範囲】
【請求項１】
使用を想定する下側寝具よりも長尺に、かつ広幅に裁断したシーツ布地の少なくとも長手方向一端側を裏面側に所要の長さ折り返すことにより、該シーツ布地をシーツ部と折り返し部とに画成し、折り返し部の端部と対面するシーツ部に互いに係合するスナップボタンを設けて、該スナップボタンを係合することにより下側寝具の挿入部を形成し、かつ該シーツ布地のうち該スナップボタン係合部から外側部分を敷き込み部としてなる下側寝具用シーツであって、使用を想定する下側寝具の挿入部分の大きさに対応できるように、折り返し部の端部とシーツ部には複数組のスナップボタンが設けられていることを特徴とする下側寝具用シーツ。
【請求項２】
使用を想定する下側寝具の挿入部分の大きさと長さに対応できるように、複数組のシーツ部側のスナップボタンが耳部からの長さと折り返し部の端部からの長さのいずれもが異なる位置に設けられていることを特徴とする請求項１に記載の下側寝具用シーツ。
【請求項３】
折り返し部に設けられた各組のスナップボタンの間隔が、シーツ部に設けられた各組のスナップボタンの間隔より短いことを特徴とする請求項１または請求項２記載の下側寝具用シーツ。
【請求項４】
使用を想定する下側寝具よりも長尺に、かつ広幅に裁断したシーツ布地の両耳側を裏面側に所要の幅で折り返すことにより、該シーツ布地をシーツ部と折り返し部とに画成し、折り返し部の耳部と対面するシーツ部に互いに係合するスナップボタンを設けることにより下側寝具の挿入部を形成し、かつ該シーツ布地のうち該スナップボタン係合部から外側部分を敷き込み部としてなる下側寝具用シーツであって、使用を想定する下側寝具の挿入部分の大きさに対応できるように、折り返し部の耳部とシーツ部には複数組のスナップボタンが設けられていることを特徴とする下側寝具用シーツ。
【請求項５】
使用を想定する下側寝具の挿入部分の大きさと長さに対応できるように、複数組のシーツ部側のスナップボタンが耳部からの長さと折り返し部の端部からの長さのいずれもが異なる位置に設けられていることを特徴とする請求項４に記載の下側寝具用シーツ。
【請求項６】
折り返し部の耳部に設けられた各組のスナップボタンの間隔が、シーツ部に設けられた各組のスナップボタンの間隔より短いことを特徴とする請求項４または請求項５記載の下側寝具用シーツ。
【請求項７】
テープに複数のスナップボタンが取付けられているスナップボタン付きテープを用いていることを特徴とする請求項１から請求項６のいずれかに記載の下側寝具用シーツ。
【発明の詳細な説明】
【技術分野】
【０００１】
本発明は、敷布団やマットレス等の下側寝具に被装して使用するシーツに関するものであり、特に病院や介護施設、療養施設等のように日々の交換作業の多い施設で使用するのに好適な下側寝具用シーツに関するものである。
【背景技術】
【０００２】
従来から病院や介護施設、療養施設等ではベッドにはマットレスの上に敷布団を敷いて用いられていた。また、近年ではマットレス素材・形状の工夫により、マットレスのみにて敷布団の役目も果たさせることも提案されている。
【０００３】
病院や介護施設、療養施設等では、敷布団やマットレスに被装しているシーツ交換数が多く、交換作業の手数を極力減らして迅速かつ円滑に行うことができるようにすることや、当然のことながら使用中にずれてしまうことがないことが要求される。また、最近では、体格に応じた大きさの寝具を用いることが要求されるようになってきている。この場合には、一つの使用のシーツで異なる大きさの寝具に対応することが課題の一つになってくる。このような要求に応えるものとして、実登３０２１４８４号には、シーツ本体の一方端の裏面には袋部を設け、他端は最端部に取り付けたホックと耳部に沿って複数取り付けたホックとを結合させて長さの異なる敷布団に対応する方法が提案されている。
このシーツは、長さの異なる場合には対応できるが、幅の異なる場合には対応しにくいものである。また、一方端に耳部を縫着した袋部を形成しているが、このような袋部を形成させたシーツは工業的な洗濯におけるアイロン掛け、例えばロールアイロンにおいては、皺の発生なく美しいアイロン仕上がりを得ることが非常に難しい。
【特許文献１】実登３０２１４８４号公報
【発明の開示】
【発明が解決しようとする課題】
【０００４】
本発明は、上記のような現状を鑑みてなされたものであり、敷布団やマットレス等の下側寝具に被装して使用するシーツであって、下側寝具の幅、長さ、厚さが変わっても対応することが可能であって、使用中にずれてしまうことがなく、交換作業の手数を極力減らして迅速かつ円滑に行うことができる下側寝具用シーツを提供することを課題とするものである。
【課題を解決するための手段】
【０００５】
本発明は、上記の課題を解決するものであり、
１）使用を想定する下側寝具よりも長尺に、かつ広幅に裁断したシーツ布地の少なくとも長手方向一端側を裏面側に所要の長さ折り返すことにより、該シーツ布地をシーツ部と折り返し部とに画成し、折り返し部の端部と対面するシーツ部に互いに係合するスナップボタンを設けることにより下側寝具の挿入部を形成し、かつ該シーツ布地のうち該スナップボタン係合部から外側部分を敷き込み部としてなる下側寝具用シーツであって、使用を想定する下側寝具の挿入部分の大きさに対応できるように折り返し部の端部とシーツ部には複数組のスナップボタンが設けられていることを特徴とする下側寝具用シーツ
２）使用を想定する下側寝具の挿入部分の大きさと長さに対応できるように、複数組のシーツ部側のスナップボタンが耳部からの長さと折り返し部の端部からの長さのいずれもが異なる位置に設けられていることを特徴とする上記の下側寝具用シーツ
３）折り返し部に設けられた各組のスナップボタンの間隔が、シーツ部に設けられた各組のスナップボタンの間隔より短いことを特徴とする上記の下側寝具用シーツ。
４）使用を想定する下側寝具よりも長尺に、かつ広幅に裁断したシーツ布地の両耳側を裏面側に所要の幅で折り返すことにより、該シーツ布地をシーツ部と折り返し部とに画成し、折り返し部の耳部と対面するシーツ部に互いに係合するスナップボタンを設けることにより下側寝具の挿入部を形成し、かつ該シーツ布地のうち該スナップボタン係合部から外側部分を敷き込み部としてなる下側寝具用シーツであって、使用を想定する下側寝具の挿入部分の大きさに対応できるように、折り返し部の耳部とシーツ部に複数組のスナップボタンが設けられていることを特徴とする下側寝具用シーツ
５）使用を想定する下側寝具の挿入部分の大きさと長さに対応できるように、複数組のシーツ部側のスナップボタンが耳部からの長さと折り返し部の端部からの長さのいずれもが異なる位置に設けられていることを特徴とする上記の下側寝具用シーツ
６）折り返し部の耳部に設けられた各組のスナップボタンの間隔が、シーツ部に設けられた各組のスナップボタンの間隔より短いことを特徴とする上記の下側寝具用シーツ
７）テープに複数のスナップボタンが取付けられているスナップボタン付きテープを用いていることを特徴とする上記の下側寝具用シーツ
を要旨とするものである。
【発明の効果】
【０００６】
本発明の下側寝具用シーツは、使用するマットレスや敷布団等の下側寝具の長さよりも長尺に、かつ広幅に裁断したシーツ布地において、少なくとも長手方向一端には、使用を想定する下側寝具の挿入部分の大きさに対応できるように折り返し部の端部と対面するシーツ部に互いに係合する複数組のスナップボタンが設けられているので、これらのスナップボタンの組み合わせの中から適宜選択して係合させて用いることにより、幅や厚さの異なる下側寝具を使用中にずれてしまうことのないようにしっかりと被装できる。着脱自在に係合するスナップボタンを用いるので、幅や厚さの異なる下側寝具に交換する場合でも、他のシーツを準備することなく、対応することができるようになる。
【０００７】
上の下側寝具用シーツにおいて、シーツ部側のスナップボタンを耳部からの長さと折り返し部の端部からの長さのいずれもが異なる位置に設けることにより、長さと幅が下側寝具でもスナップボタンの組み合わせの中から適宜選択して係合させて用いることができる。
【０００８】
本発明の下側寝具用シーツにおいて、折り返し部に設けられた各組のスナップボタンの間隔を、シーツ部に設けられた各組のスナップボタンの間隔より短くしておくと、シーツの交換作業の際、敷布団やマットレス等の先端部を挿入したときに、折り返し部の方が弛んだ状態になって、折角挿入したのに外れてしまうといったことがなくなり、より交換作業の手数を減らして迅速かつ円滑に行うことができるようになる。さらに両サイドの係合部がマットレス下へ自然に引き込まれるような状態になるため、シーツ両サイドを敷き込みやすく使用中にもシーツ両サイドの敷き込み部がベッドとマットレスの間から外れにくくなり、敷き込んだ状態を保ち易くなる。そのため、従来は看護士がマットレスのサイドから垂れ下がるシーツを何度も直さなくてはならなかった作業を  軽減することができる。
【０００９】
また、シーツ布地の両耳側を裏面側に所要の幅で折り返すことにより、該シーツ布地をシーツ部と折り返し部とに画成し、折り返し部の耳部と対面するシーツ部に互いに係合するスナップボタンを設ける場合においても、折り返し部の耳部には使用を想定する下側寝具の挿入部分の大きさに対応できるように複数のスナップボタンが設けられているので、これらのスナップボタンの組み合わせの中から適宜選択して係合させて用いることにより、長さや厚さの異なる下側寝具を使用中にずれてしまうことのないようにしっかりとカバーできる。上の下側寝具用シーツにおいて、シーツ部側のスナップボタンを耳部からの長さと折り返し部の端部からの長さのいずれもが異なる位置に設けることにより、長さと幅が下側寝具でもスナップボタンの組み合わせの中から適宜選択して係合させて用いることができる。
【００１０】
本発明の下側寝具用シーツにおいて、スナップボタン付きテープを用いると、スナップボタンの取り付けが容易であり、スナップボタンの係合の取り外しの繰り返しによるシーツ地の損傷、ボタンの脱落の軽減が可能になる。
【００１１】
本発明の下側寝具用シーツを用いると、シーツの取替え作業する際にも、スナップボタンを係合させることにより容易に敷布団やマットレスの先端部を挿入する挿入部を形成させることができ、この挿入部に敷布団やマットレスの先端部を挿入し、敷き込み部を下側に折り込むことにより、シーツの交換作業迅速かつ円滑に行うことができる。
【００１２】
本発明の下側寝具用シーツは、スナップボタンで挿入部を形成させるので、洗濯時にはスナップボタンを係合させずに１枚の平らな生地と同様に取り扱うことができて、洗浄後のアイロンロール等を通してアイロンをかける際にしわがはいるのを防止しやすい。
【００１３】
本発明の下側寝具用シーツにおいては、複数の組み合わせのスナップボタンを設けてあるので、繰り返し洗濯等により、シーツ生地そのものが縮んでしまった場合においても、他の組み合わせのスナップボタンを選択して使用することができる。    
【発明を実施するための最良の形態】
【００１４】
本発明の下側寝具用シーツは、使用する敷布団やマットレス等の下側寝具よりも長尺に、かつ広幅に裁断したシーツ布地に、使用が想定されるサイズの下側寝具を被装できるように、複数のスナップボタンを取り付けておき、体格の異なる使用者に合ったサイズの寝具を選択しても１種のシーツを準備しておけば対応できるような構造としたシーツである。
【００１５】
以下に図面を利用して本発明の下側寝具用シーツを説明する。図１は本発明の一実施例であるシーツの裏面（下側寝具に接触する側）を上にして描いた平面図である。図１において、シーツ１は、使用が想定されるマットレスの長さより長尺で、かつその幅よりも広幅に裁断され、長手方向の端部を所要の幅分折り返すことによってシーツ部２と折り返し部３に画成されるが、折り返し部３の端部には複数組のスナップボタンが取り付けられている。図１に示すシーツには、両耳から所定の間隔をおいて３組のスナップボタンａ、ｂ、ｃが取り付けられている例を示している。あるサイズのマットレスが選択された際には、その挿入部分の大きさに対応して、これらのスナップボタンの中から１組を選んで使用される。すなわち幅の広いマットレスが選択された場合には、両耳に近いスナップボタンａの組を選択し、幅の狭いマットレスが選択された場合には、両耳から離れた方のスナップボタンｃの組を選択して使用される。これらの中間的なサイズのマットレスであれば、片側は、スナップボタンａを選択し、他方はスナップボタンｃを選択して用いることも可能である。
【００１６】
シーツ部２には、折り返し部３の端部に設けたスナップボタンａ、ｂ、ｃと係合するスナップボタンa’、b’、ｃ’が取り付けてある。シーツ布地を折り返してシーツ部と折り返し部とに画成した際に、折り返し部の端部に設けたスナップボタンａ、ｂ、ｃとシーツ部に設けたスナップボタンa’、b’、ｃ’とがそれぞれ対面する位置に設けられていて、それらの組のいずれかの組を選択してスナップボタンを係合させて、下側寝具、例えばマットレスを挿入する挿入口を形成させる。
図１において、折り返し部３のスナップボタンａ、ｂ、ｃを雄ボタンとすれば、シーツ部２に設けたスナップボタンa’、b’、ｃ’を雌ボタンとすればよく、その逆であってもよい。
【００１７】
図２には、図１の本発明のシーツの長手方向の端部を所要の幅分折り返して、シーツ部２と折り返し部３に画成し、スナップボタンaとスナップボタンa’を係合させてマットレスの先端部を挿入する挿入部を形成させ、マットレス５の先端部を挿入させた状態を示している。折り返し部３の端部に設けたスナップボタンaの間隔は、使用を想定するマットレスの幅と厚さを考慮した間隔にしておくのが望ましい。そしてスナップボタンaの外側の部分を敷き込み部４として折り返して使用する。
図１、図２には、長手方向の両方の折り返し部２にスナップボタンを設けた例を示しているが、どちらか一方に設けてあってもよい。
【００１８】
図３には、使用を想定する下側寝具の挿入部分の大きさ（幅や厚さ）や長さに対応できるようにシーツ部側のスナップボタンが耳部からの長さと折り返し部の端部からの長さのいずれもが異なる位置に設けられている例を示している。図３において、折り返し部３には図１の例と同様にスナップボタンｄ、ｅ、ｆが取り付けられている。シーツ部には、耳部からの長さも折り返し部の端部からの長さもいずれもが異なる位置にスナップボタンｄ’、e’、ｆ’が取り付けられている。すなわちスナップボタンｄ、ｅ、ｆは、両耳からは異なる長さの位置に取り付けられていて、折り返し部の端部からは同じ長さの位置に取り付けられているが、スナップボタンｄ’、e’、ｆ’は両方共に異なる位置に取り付けられている。これにより長さの長いマットレスや厚さの厚いマットレスの場合には、両端のスナップボタンｄとスナップボタンｄ’を係合させてマットレスの先端部を挿入して使用し、長さの短いマットレスの場合には、内側のスナップボタンｆとスナップボタンｆ’を選択して係合させて使用することができるようになる。
【００１９】
本発明の下側寝具用シーツにおいては、折り返し部に設ける各組のスナップボタンの間隔を、シーツ部に設ける各組のスナップボタンの間隔より短くしておくと、シーツの取り付け作業がより効率的に行えるようになる。すなわち、図１の例においては、スナップボタンaの間隔とスナップボタンa’の間隔を比較した時に、スナップボタンaの間隔を短くしておくのが好ましい。同様にスナップボタンｂの間隔とスナップボタンｂ’の間隔を比較した時に、スナップボタンｂの間隔を短くし、スナップボタンｃの間隔とスナップボタンｃ’の間隔を比較した時に、スナップボタンｃの間隔を短くしておくのが好ましい。図３の例でスナップボタンｄ、ｅ、ｆとスナップボタンｄ’、e’、ｆ’の関係も同様である。折り返し部に設ける各組のスナップボタンの間隔と、シーツ部に設ける各組のスナップボタンの間隔を同じにしておいた場合に、係合させてスナップボタンがマットレスの厚さの真ん中に来ておれば問題ないが、マットレスの先端部を挿入した際に多くの場合偏ってしまい折り返し部が弛んでしまう。その状態で他の作業、例えば今一方の先端部を挿入する作業をしている際に、折角挿入済みである方が外れてしまうといった状態になることがある。このような問題が発生しにくくするためには、折り返し部に設ける各組のスナップボタンの間隔をシーツ部側より短くしておくのが好ましい。このようにしておくと、両サイドの係合部がマットレス下へ自然に引き込まれるような状態になるため、シーツ両サイドを敷き込みやすく使用中にもシーツ両サイドの敷き込み部がベッドとマットレスの間から外れにくくなり、敷き込んだ状態を保ち易くなる。
【００２０】
本発明の下側寝具用シーツにおいては、折り返し部及びシーツ部にスナップボタンを取り付けるに際し、テープに複数のスナップボタンが取付けられているスナップボタン付きテープを用いるのも好ましい。図４には、スナップボタンｐ、ｑ、ｒ、ｓ、ｔの５個のスナップボタンが取付けられたスナップボタン付きテープ６を折り返し部に縫いつけ、スナップボタンｐ’、ｑ’、ｒ’、ｓ’、ｔ’の取付けられたスナップボタン付きテープ７をシーツ部に縫い付けた例を示している。この場合、スナップボタンｐ’、ｑ’、ｒ’、ｓ’、ｔ’は、耳部からの長さと折り返し部の端部からの長さのいずれもが異なる位置に設けられている例ともなっている。
【００２１】
図５には、シーツ布地の両耳を裏面側に所要の幅で折り返すことにより、該シーツ布地をシーツ部８と折り返し部９とに画成し、折り返し部の耳部と対面するシーツ部に互いに係合する複数のスナップボタンを設けた場合を示している。図５に示すシーツには、両耳に長手方向の両端から所定の間隔をおいてスナップボタンｌ、ｍ、ｎが設けられている。あるサイズのマットレスが選択された際には、これらのスナップボタンの中から１組を選んで使用される。すなわち長さの長いマットレスが選択された場合には、長手方向の両端に近いスナップボタンｌを選択し、長さの短いマットレスが選択された場合には、両耳から離れた方のスナップボタンｎを選択して使用される。
【００２２】
シーツ部８には、折り返し部９の耳部に設けたスナップボタンｌ、ｍ、ｎと係合するスナップボタンｌ’、ｍ’、ｎ’が取り付けてある。この際、スナップボタンｌ’、ｍ’、ｎ’の折り返し部９の耳部からの間隔はそれぞれ異なっており、スナップボタンｌ’は耳からの間隔が短く、スナップボタンｎ’は間隔が長くなっている。これは通常、長さの長いマットレスは幅も広く、短いものは狭いことからこれに対応する例として図示している。
【００２３】
本発明において、シーツ布地の素材や組織はいずれでもよく、シーツ布地の素材としては、吸湿性に優れた綿素材、寸法安定性に優れたポリエステル繊維、これらの混紡素材が好ましく、組織としては織物、編物のいずれも用いることができる。これらの中でも、洗濯後においても皺になりにくく、皺になっても目立ちにくいポリエステル繊維を用いた経編地を用いると高温洗濯することにより殺菌効果を得てロールアイロンを不要とすることができるので好ましい。
【実施例１】
【００２４】
使用が想定されるマットレスがＡ、Ｂ、Ｃの３種あり、マットレスＡのサイズが、長さ１９５ｃｍ、幅９５ｃｍ、厚さ５ｃｍであり、マットレスＢのサイズが、長さ１９０ｃｍ、幅９０ｃｍ、厚さ５ｃｍであり、マットレスＣのサイズが、長さ１８５ｃｍ、幅８５ｃｍ、厚さ５ｃｍである場合に、裁断後に四辺をそれぞれ袋縫い処理した幅１５０ｃｍ、長さ２５０ｃｍのポリエステル繊維使いの経編地をシーツ布地として用い、図１の配置でスナップボタンを取り付けて本本発明のマットレスカバーシーツを得た。この際のそれぞれのスナップボタンの取り付け位置としては、長手方向の折り返し部の端部には両耳から２５ｃｍの位置にスナップボタンaを、その内側５ｃｍの間隔をおいてスナップボタンbを、さらにその内側５ｃｍの間隔をおいてスナップボタンｃを取り付けた。すなわちスナップボタンa同士の間隔は１００ｃｍ、スナップボタンb同士の間隔は９５ｃｍ、スナップボタンｃ同士の間隔は９０ｃｍとした。またスナップボタンaと係合するスナップボタンa’は、両耳辺から２５ｃｍ、スナップボタンaから２５ｃｍの位置に、スナップボタンｂと係合するスナップボタンb’ は、両耳辺から３０ｃｍ、スナップボタンｂから３０ｃｍの位置に、スナップボタンｃと係合するスナップボタンｃ’ は、両耳辺から３５ｃｍ、スナップボタンｂから３５ｃｍの位置に取り付けた。そしてマットレスＡを用いる際には、スナップボタンaとスナップボタンa’ を係合させてマットレス挿入部を形成させて、ここにマットレスの先端部を挿入して使用し、マットレスBを用いる際には、スナップボタンｂとスナップボタンb’
を係合させ、マットレスCを用いる際には、スナップボタンｃとスナップボタンｃ’を係合させて使用する。
【産業上の利用可能性】
【００２５】
本発明の下側寝具用シーツは、特に病院や介護施設、療養施設等のように日々の交換作業の多く、使用者が変わりそれに応じたサイズの下側寝具を用いる施設で好適に使用することができるものである。
【図面の簡単な説明】
【００２６】
【図１】本発明の下側寝具用シーツの概観を例示する図である。
【図２】本発明の下側寝具用シーツの折り返し部を折り返した状態を示す図である。
【図３】本発明の下側寝具用シーツのスナップボタンの配置を例示する図である。
【図４】本発明の下側寝具用シーツにスナップボタン付きテープを用いた例を示す図である。
【図５】本発明の下側寝具用シーツの概観を例示する図である。
【符号の説明】
【００２７】
１  シーツ
２  シーツ部
３  折り返し部
４  敷き込み部
５  マットレス
６  スナップボタン付きテープ
７  スナップボタン付きテープ
８  シーツ部
９  折り返し部
ａ、ｂ、ｃ、ｄ、e、ｆ    スナップボタン
ｌ、ｍ、ｎ    スナップボタン
ｐ、ｑ、ｒ、ｓ、ｔ    スナップボタン
【図１】
2008194241.tif 000003
【図２】
2008194241.tif 000004
【図３】
2008194241.tif 000005
【図４】
2008194241.tif 000006
【図５】
2008194241.tif 000007